(57)【要約】【課題】利便性を向上可能な測定装置及び測定方法を提供する。【解決手段】被検部位を接触部１６に接触させて生体情報を測定する測定装置１０は、測定光を射出する光源２１と、被検部位からの測定光の散乱光を受光する受光部２２と、受光部２２の出力に基づいて生体情報を生成する生体情報生成部１８と、制御部１７とを備え、制御部１７は、所定の時間帯に光源から測定光を射出可能とする。【選択図】図１
2016030094.tif 000002
【特許請求の範囲】
【請求項１】
被検部位を接触部に接触させて生体情報を測定する測定装置であって、
測定光を射出する光源と、
前記被検部位からの前記測定光の散乱光を受光する受光部と、
前記受光部の出力に基づいて前記生体情報を生成する生体情報生成部と、
制御部とを備え、
前記制御部は、所定の時間帯に前記光源から前記測定光を射出可能とする測定装置。
【請求項２】
前記接触部における前記被検部位の接触状態を検出する接触状態検出部をさらに備え、
前記制御部は、前記接触状態検出部で検出される前記接触状態が所定の接触状態にあると判断した場合に、前記光源から前記測定光を射出させる、請求項１に記載の測定装置。
【請求項３】
被検者による当該測定装置の使用時間帯を記憶する記憶部をさらに備え、
前記制御部は、前記記憶部に記憶された使用履歴情報に基づいて前記所定の時間帯を決定する、請求項１に記載の測定装置。
【請求項４】
前記記憶部は、前記生体情報生成部が過去に生成した前記生体情報を記憶し、
前記制御部は、さらに、前記生体情報生成部が過去に生成した前記生体情報に基づいて前記所定の時間帯を決定する、請求項３に記載の測定装置。
【請求項５】
前記制御部は、被検者による当該測定装置への入力に基づいて前記所定の時間帯を決定する、請求項１に記載の測定装置。
【請求項６】
前記接触状態検出部は、前記接触状態として、前記接触部における前記被検部位の接触圧力を検出する圧力検出部であり、
前記制御部は、前記圧力検出部で検出される前記接触圧力が所定の圧力範囲内のときに、前記光源から前記測定光を射出させる、請求項２に記載の測定装置。
【請求項７】
報知部をさらに備え、
前記制御部は、前記光源から前記測定光を射出させる前又は射出させている間に、前記報知部から前記測定光の射出に関する情報を報知させる、請求項１に記載の測定装置。
【請求項８】
前記生体情報は、血流に関する情報を含む、請求項１に記載の測定装置。
【請求項９】
被検部位を接触部に接触させて生体情報を測定するにあたり、
現在の時刻が所定の時間帯に含まれるか否かを判断するステップと、
前記現在の時刻が前記所定の時間帯に含まれる場合に、前記接触部に接触する前記被検部位に測定光を射出するステップと、
前記被検部位からの前記測定光の散乱光を受光するステップと、
前記散乱光に基づいて前記生体情報を生成するステップと
を含む測定方法。
【発明の詳細な説明】
【技術分野】
【０００１】
本発明は、測定装置及び測定方法に関する。
【背景技術】
【０００２】
従来、被検者（ユーザ）の指先等の被検部位から生体出力情報を取得して、生体情報を測定する測定装置が知られている。例えば、生体情報として血流を測定する血流測定装置は、レーザ光を指先に照射し、指先の毛細血管の血流からの散乱光に基づいて血流を測定する（例えば、特許文献１参照）。
【先行技術文献】
【特許文献】
【０００３】
【特許文献１】実公平３−２１２０８号公報
【発明の概要】
【発明が解決しようとする課題】
【０００４】
しかしながら、被検者は、専用の生体情報測定装置を使用して生体情報を測定する場合、生体情報の測定を忘れたり、生体情報測定装置を使用可能な場所又は状況にない場合に生体情報が測定できなかったりする。このように、従来の生体情報測定装置の利便性は必ずしも高くなく、被検者が継続して定期的に生体情報を測定及び記録することが困難な場合があった。
【０００５】
かかる事情に鑑みてなされた本発明の目的は、利便性を向上可能な測定装置及び測定方法を提供することにある。
【課題を解決するための手段】
【０００６】
上記課題を解決するため、本発明に係る測定装置は、
被検部位を接触部に接触させて生体情報を測定する測定装置であって、
測定光を射出する光源と、
前記被検部位からの前記測定光の散乱光を受光する受光部と、
前記受光部の出力に基づいて前記生体情報を生成する生体情報生成部と、
制御部とを備え、
前記制御部は、所定の時間帯に前記光源から前記測定光を射出可能とする。
【０００７】
前記接触部における前記被検部位の接触状態を検出する接触状態検出部をさらに備え、
前記制御部は、前記接触状態検出部で検出される前記接触状態が所定の接触状態にあると判断した場合に、前記光源から前記測定光を射出させてもよい。
【０００８】
被検者による当該測定装置の使用時間帯を記憶する記憶部をさらに備え、
前記制御部は、前記記憶部に記憶された使用履歴情報に基づいて前記所定の時間帯を決定してもよい。
【０００９】
前記記憶部は、前記生体情報生成部が過去に生成した前記生体情報を記憶し、
前記制御部は、さらに、前記生体情報生成部が過去に生成した前記生体情報に基づいて前記所定の時間帯を決定してもよい。
【００１０】
前記制御部は、被検者による当該測定装置への入力に基づいて前記所定の時間帯を決定してもよい。
【００１１】
前記接触状態検出部は、前記接触状態として、前記接触部における前記被検部位の接触圧力を検出する圧力検出部であり、
前記制御部は、前記圧力検出部で検出される前記接触圧力が所定の圧力範囲内のときに、前記光源から前記測定光を射出させてもよい。
【００１２】
報知部をさらに備え、
前記制御部は、前記光源から前記測定光を射出させる前又は射出させている間に、前記報知部から前記測定光の射出に関する情報を報知させてもよい。
【００１３】
前記生体情報は、血流に関する情報を含んでいてもよい。
【００１４】
また、本発明は上述した測定装置に実質的に相当する方法としても実現し得るものであり、本発明の範囲にはこれらも包含されるものと理解されたい。
【００１５】
例えば、本発明に係る測定方法は、
被検部位を接触部に接触させて生体情報を測定するにあたり、
現在の時刻が所定の時間帯に含まれるか否かを判断するステップと、
前記現在の時刻が前記所定の時間帯に含まれる場合に、前記接触部に接触する前記被検部位に測定光を射出するステップと、
前記被検部位からの前記測定光の散乱光を受光するステップと、
前記散乱光に基づいて前記生体情報を生成するステップとを含む。
【発明の効果】
【００１６】
本発明によれば、利便性を向上可能な測定装置及び測定方法を提供できる。
【図面の簡単な説明】
【００１７】
【図１】本発明の一実施の形態に係る測定装置の概略構成を示す機能ブロック図である。
【図２】測定装置を被検者が把持した状態を示す図である。
【図３】接触圧力とレーザ光の射出との関係を示す図である。
【図４】制御部におけるレーザ光の射出制御の一例を示すフローチャートである。
【発明を実施するための形態】
【００１８】
以下、本発明の一実施の形態について、図面を参照して詳細に説明する。
【００１９】
図１は、本発明の一実施の形態に係る測定装置の概略構成を示すブロック図である。測定装置１０は、例えば携帯電話機により構成される。測定装置１０は、図１に示すように、圧力検出部１１と、表示部１２と、入力部１３と、記憶部１４と、生体センサ１５と、接触部１６と、制御部１７と、生体情報生成部１８と、報知部１９とを備える。
【００２０】
測定装置１０は、測定装置１０を把持する被検者の被検部位が接触部１６に接触した状態で、被検部位における生体情報を測定する。図２は、測定装置１０を被検者が左手で把持した状態を示す図である。図２に示すように、接触部１６は、測定装置１０である携帯電話機の本体３０の一方の側面３０ａに配置されている。接触部１６は、被検者が測定装置１０を把持したときに、被検部位が自然に接触する位置に配置されることが好ましい。測定装置１０が測定する生体情報は、生体センサ１５を使用して測定可能な任意の生体情報とすることができる。本実施の形態においては、測定装置１０は、一例として、血流に関する情報である被検者の血流量を測定するものとして、以下説明を行う。
【００２１】
図１において、圧力検出部１１は、接触部１６における被検部位の接触状態を検出する接触状態検出部の一例であり、接触状態として、接触部１６における被検部位の接触圧力を検出する。圧力検出部１１は、例えば圧電素子により構成される。圧力検出部１１は、制御部１７に接続されており、検出した接触圧力を圧力信号として制御部１７に送信する。従って、圧力検出部１１は、接触部１６に被検部位が接触している場合、被検部位から接触部１６に作用する接触圧力を検出し、検出した接触圧力を圧力信号として制御部１７に送信する。
【００２２】
表示部１２は、液晶ディスプレイ、有機ＥＬディスプレイ、又は無機ＥＬディスプレイ等の周知のディスプレイにより構成される表示デバイスである。表示部１２は、例えば制御部１７の制御により、測定された生体情報を表示する。
【００２３】
入力部１３は、ユーザからの操作入力を受け付けるものであり、例えば、操作ボタン（操作キー）から構成される。なお、入力部１３をタッチスクリーンにより構成し、表示部１２である表示デバイスの一部にユーザからの操作入力を受け付ける入力領域を表示して、ユーザによるタッチ操作入力を受け付けてもよい。
【００２４】
記憶部１４は、半導体メモリ又は磁気メモリ等で構成することができ、各種情報や測定装置１０を動作させるためのプログラム等を記憶するとともに、ワークメモリとしても機能する。
【００２５】
記憶部１４は、例えば、測定装置１０が測定した過去の生体情報を記憶する。記憶部１４は、例えば、後述する使用履歴情報を記憶する。
【００２６】
生体センサ１５は、被検部位から生体測定出力を取得する。本実施の形態のように、測定装置１０が血流量を測定する場合、生体センサ１５は、光源２１と受光部２２とを有する。
【００２７】
光源２１は、制御部１７の制御に基づいてレーザ光を射出する。光源２１は、例えば、血液中に含まれる所定の成分を検出可能な波長のレーザ光を、測定光として被検部位に照射するもので、例えばＬＤ（レーザダイオード：Laser Diode）により構成される。
【００２８】
受光部２２は、生体測定出力として、被検部位からの測定光の散乱光を受光する。受光部２２は、例えば、ＰＤ（フォトダイオード：Photo Diode）により構成される。生体センサ１５は、受光部２２において受光した散乱光の光電変換信号を制御部１７に送信する。
【００２９】
接触部１６は、被検者が生体情報を測定するために、指等の被検部位を接触させる部分である。接触部１６は、例えば、板状の部材により構成される。接触部１６は、少なくとも光源２１からの測定光及び被検部位からの散乱光に対して透明な部材により構成される。
【００３０】
制御部１７は、測定装置１０の各機能ブロックをはじめとして、測定装置１０の全体を制御及び管理するプロセッサである。制御部１７は、制御手順を規定したプログラムを実行するＣＰＵ（Central Processing Unit）等のプロセッサで構成され、かかるプログラムは、例えば記憶部１４又は外部の記憶媒体等に格納される。
【００３１】
制御部１７は、使用履歴情報を記憶部１４に記憶する。使用履歴情報は、被検者が測定装置１０を使用する時間帯に関する情報である。本実施の形態において、制御部１７は、例えば、表示部１２において画像等を表示している場合に、被検者が測定装置１０を使用していると判断する。制御部１７は、例えば、被検者の操作に基づく入力部１３からの入力が行われている場合に、被検者が測定装置１０を使用していると判断してもよい。すなわち、制御部１７は、被検者が測定装置１０を使用していると判断すると、使用されている時間帯を、使用履歴情報として記憶部１４に記憶する。制御部１７は、被検者が測定装置１０を使用していると判断するたびに、記憶部１４に記憶された使用履歴情報を更新する。なお、制御部１７は、例えば、表示部１２のバックライトがＯＮになっている場合、所定のアプリケーションが立ち上がっている場合等に、被検者が測定装置１０を使用していると判断してもよい。
【００３２】
制御部１７は、圧力検出部１１で検出される接触圧力が所定の圧力範囲のときに、光源２１から測定光を射出する。制御部１７は、光源２１から測定光を射出することにより、生体センサ１５における生体測定出力の取得を開始する。
【００３３】
所定の圧力範囲は、被検部位から接触部１６に作用する圧力が血流量を測定可能な任意の圧力範囲とすることができ、特に、被検部位から接触部１６に作用する圧力が血流量の測定に好適な圧力範囲とすることが好ましい。血流量の測定に好適な圧力範囲は、例えば、圧力と測定誤差との統計的な関係に基づいて、血流量の測定結果の誤差が、所定の誤差の範囲内に収まる圧力範囲である。
【００３４】
図３は、接触圧力とレーザ光の射出との関係を示す図である。図３において、縦軸は、接触圧力の強さ、横軸は時間の経過を示す。Ｐ1及びＰ2は、それぞれ所定の圧力範囲の下限及び上限を示す。すなわち、所定の圧力範囲は、Ｐ1からＰ2の間の範囲である。制御部１７は、接触圧力がＰ1以上Ｐ2未満となったとき（図３におけるＴ1）、光源２１からレーザ光を射出する。制御部１７は、光源２１からレーザ光を射出している間に、生体センサ１５から生体測定出力を取得する。制御部１７は、接触圧力がＰ1未満となったとき（図３におけるＴ2）又は接触圧力がＰ2以上となったとき、光源２１からのレーザ光の照射を停止する。
【００３５】
本実施の形態に係る測定装置１０の制御部１７は、所定の時間帯に、光源２１から測定光を射出可能とする制御を行う。所定の時間帯は、例えば記憶部１４に記憶された使用履歴情報に基づいて、制御部１７により決定される。制御部１７は、使用履歴情報に基づいて、例えば被検者が測定装置１０である携帯電話機を使用している可能性が高い時間帯を所定の時間帯として決定する。例えば、制御部１７は、使用履歴情報を参照し、１９時から２１時の間の２時間が被検者による携帯電話機の使用頻度が最も高いと判断した場合、１９時から２１時の間の２時間を所定の時間帯として決定できる。本実施の形態に係る測定装置１０は、例えば、上記決定された所定の時間帯にのみ、圧力検出部１１を起動する制御を行うことにより、圧力検出部１１での消費電力を低減することができる。
【００３６】
所定の時間帯は、１日の間に複数回設けられていてもよい。例えば、昼間に仕事を行う会社員の携帯電話に係る使用履歴情報は、通勤時間に相当する７時から９時の間の２時間、仕事の休憩時間を含む１１時から１３時の間の２時間、及び帰宅時間に相当する１９時から２１時の間の２時間に、多く使用されていることを示すとする。この場合、制御部１７は、使用履歴情報に基づいて、７時から９時の間の２時間、１１時から１３時の間の２時間、及び１９時から２１時の間の２時間等のように、被検者が携帯電話機を使用している可能性が高い時間帯を、１日あたり３回、所定の時間帯として決定してもよい。なお、制御部１７が決定する複数回の時間帯は、１日あたり３回に限られるものではなく、１日あたり１回以上の任意の回数とすることができる。
【００３７】
制御部１７は、例えばリアルタイムクロック（ＲＴＣ）等の時計機能により、現在の時刻が所定の時間帯に含まれるか否かを判断できる。
【００３８】
制御部１７は、光源２１からレーザ光を射出している間に、報知部１９からレーザ光の射出に関する情報を報知する。制御部１７は、レーザ光の射出に関する情報として、例えばレーザ光を射出していることを報知部１９から報知する。
【００３９】
制御部１７は、生体情報生成部１８が生成した生体情報を記憶部１４に記憶する。制御部１７は、所定の時間帯において、一度生体情報を記憶部１４に記憶すると、生体情報を記憶したその時間帯において、再び生体測定出力を行わなくてもよい。すなわち、制御部１７は、所定の時間帯ごとに、生体情報が生成可能となる有効な生体測定出力を、一度のみ取得するように制御を行ってもよい。
【００４０】
生体情報生成部１８は、受光部２２の出力（生体情報出力）に基づいて、生体情報を生成する。生体情報生成部１８は、図１に示すように、制御部１７とは異なる独立した機能部として測定装置１０に構成されてもよく、また、制御部１７の一部として構成されてもよい。
【００４１】
ここで、生体情報生成部１８による、ドップラーシフトを利用した血流量測定技術について説明する。制御部１７は、血流量を測定する際に、生体の組織内（被検部位）に光源２１からレーザ光を照射させ、受光部２２により生体の組織内から散乱された散乱光を受光する。そして、生体情報生成部１８は、受光された散乱光に関する出力に基づいて血流量を演算する。
【００４２】
生体の組織内において、動いている血球から散乱された散乱光は、血液中の血球の移動速度に比例したドップラー効果による周波数シフト（ドップラーシフト）を受ける。生体情報生成部１８は、静止した組織からの散乱光と、動いている血球からの散乱光との光の干渉によって生じるうなり信号（ビート信号ともいう）を検出する。このうなり信号は、強度を時間の関数として表したものである。そして、生体情報生成部１８は、このうなり信号を、パワーを周波数の関数として表したパワースペクトルにする。このうなり信号のパワースペクトルでは、ドップラーシフト周波数は血球の速度に比例し、パワーは血球の量に対応する。そして、生体情報生成部１８は、うなり信号のパワースペクトルに周波数をかけて積分することにより血流量を求める。
【００４３】
報知部１９は、制御部１７による制御に基づき、測定光の射出に関する情報を報知する。報知部１９は、例えば、画像、文字若しくは発光等による視覚的な方法、音声等の聴覚的な方法、又はそれらの組み合わせにより報知を行う。報知部１９は、視覚的な方法で報知を行う場合、例えば表示部１２を報知部１９として使用し、表示部１２に画像又は文字を表示することにより報知を行うことができる。報知部１９は、例えば、ＬＥＤ（発光ダイオード：Light emitting diode）等の発光素子により構成され、発光することにより報知を行うことができる。報知部１９は、聴覚的な方法で報知を行う場合、例えば、スピーカ等の音出力デバイスにより構成され、アラーム音や音声ガイド等を出力することにより報知を行うことができる。なお、報知部１９が行う報知は、視覚的又は聴覚的な方法に限られず、ユーザが認識可能な任意の方法であってもよい。
【００４４】
次に、制御部１７が光源２１に対して行うレーザ光の射出制御の一例について、図４に示すフローチャートを参照して説明する。図４に示すフローは、測定装置１０が、所定の時間帯となり、血流量を測定可能な状態となった場合に開始される。このフローのスタートの段階において、光源２１からレーザ光は射出されていない。
【００４５】
制御部１７は、例えばＲＴＣ等の時計機能により、所定の時間帯が終了したか否かを判断する（ステップＳ１０１）。
【００４６】
制御部１７は、所定の時間帯が終了したと判断した場合（ステップＳ１０１のＹｅｓ）、このフローを終了する。
【００４７】
制御部１７は、所定の時間帯が終了していないと判断した場合（ステップＳ１０１のＮｏ）、すなわち、現在の時刻が所定の時間帯に含まれると判断した場合、表示部１２に画像が表示されているか等に基づいて、携帯電話機が使用された状態であるか否かを判断する（ステップＳ１０２）。
【００４８】
制御部１７が、携帯電話機が使用されていないと判断した場合（ステップＳ１０２のＮｏ）、このフローは、ステップＳ１０１に移行する。
【００４９】
制御部１７は、携帯電話機が使用されていると判断した場合（ステップＳ１０２のＹｅｓ）、圧力検出部１１が検出した接触圧力に関する情報を取得し、接触部１６における接触圧力が所定の圧力範囲内であるか否かを判断する（ステップＳ１０３）。
【００５０】
制御部１７が、接触部１６における接触圧力が所定の圧力範囲内でないと判断した場合（ステップＳ１０３のＮｏ）、このフローは、ステップＳ１０１に移行する。
【００５１】
制御部１７は、接触部１６における接触圧力が所定の圧力範囲内であると判断した場合（ステップＳ１０３のＹｅｓ）、光源２１からレーザ光を射出する（ステップＳ１０４）。レーザ光の射出により、生体センサ１５による生体測定出力の取得が開始される。
【００５２】
その後、制御部１７は、生体センサ１５による生体測定出力の取得が終了したか否かを判断する（ステップＳ１０５）。
【００５３】
制御部１７は、生体測定出力の取得が終了していないと判断した場合（ステップＳ１０５のＮｏ）、圧力検出部１１が検出した接触圧力に関する情報を取得し、接触部１６における接触圧力が所定の圧力範囲内であるか否かを判断する（ステップＳ１０６）。
【００５４】
制御部１７は、接触圧力が所定の圧力範囲内であると判断した場合（ステップＳ１０６のＹｅｓ）、ステップＳ１０５に移行する。
【００５５】
制御部１７は、接触圧力が所定の圧力範囲内でないと判断した場合（ステップＳ１０６のＮｏ）、光源２１からのレーザ光の射出を停止する（ステップＳ１０７）。そして、フローは、ステップＳ１０１に移行する。
【００５６】
一方、ステップＳ１０５において、制御部１７は、生体測定出力の取得が終了したと判断した場合（ステップＳ１０５のＹｅｓ）、光源２１からのレーザ光の射出を停止する（ステップＳ１０８）。このようにして、生体センサ１５における生体測定出力の取得が終了する。
【００５７】
生体測定出力の取得が終了すると、生体情報生成部１８が、生体測定出力に基づいて生体情報を生成する。生成された生体情報は、制御部１７により、記憶部１４に記憶される。
【００５８】
このように、本実施の形態に係る測定装置１０は、携帯電話機として実現され、所定の時間帯において、接触部１６における接触圧力が所定の圧力範囲内のときに生体測定出力を取得して生体情報を測定する。そのため、被検者は、生体情報を測定するために特別な手間をかけることなく、携帯電話機を使用している間に、簡単に生体情報を測定できる。このようにして、測定装置１０は、利便性を向上可能である。
【００５９】
測定装置１０は、所定の時間帯に生体情報を測定するため、毎日同じ時間帯の生体情報を測定できる。測定装置１０は、所定の時間帯ごとに、１度生体情報を測定すると、同じ所定の時間帯において再び生体情報を測定しないため、電力消費を抑えることができる。しかも、測定装置１０は、使用履歴情報に基づいて、被検者が携帯電話機を使用している可能性が高い時間帯を、所定の時間帯として決定するため、各所定の時間帯において、高い確率で生体情報を測定し、記憶することができる。
【００６０】
さらに、測定装置１０は、接触圧力が所定の圧力範囲内のときに光源２１からレーザ光を射出するため、生体センサ１５が生体測定出力を取得していない間における不要な電力消費を抑えることができる。また、測定装置１０が報知部１９から測定光の射出に関する情報を報知することにより、被検者は、生体測定出力の取得を行っていることを認識できる。そのため、被検者は、生体測定出力の取得中における接触圧力を、一定の強さに維持するよう意識しやすくなる。
【００６１】
なお、本発明は、上記実施の形態にのみ限定されるものではなく、幾多の変形または変更が可能である。例えば、各構成部、各ステップ等に含まれる機能等は論理的に矛盾しないように再配置可能であり、複数の構成部やステップ等を１つに組み合わせたり、或いは分割したりすることが可能である。
【００６２】
上記実施の形態では、制御部１７が、使用履歴情報に基づいて所定の時間帯を決定するとして説明したが、所定の時間帯の決定は、この方法に限られない。例えば、所定の時間帯は、被検者が予め入力部１３を使用して所定の時間帯を入力することにより決定されてもよい。
【００６３】
所定の時間帯の回数は、生体情報生成部１８が過去に生成した生体情報に基づいて、制御部１７により決定されてもよい。例えば、制御部１７は、１日あたりの所定の時間帯の回数を変動させてもよい。
【００６４】
例えば、所定の時間帯の回数は、生体情報生成部１８が過去に生成した生体情報に基づいて増加するように決定される。過去に生成した生体情報は、任意の期間に生成した生体情報であり、例えば、過去に生成した全ての生体情報であってもよく、直近１週間に生成した生体情報等であってもよい。制御部１７は、例えば、記憶部１４に記憶された直近１週間の生体情報としての血流量を参照し、血流が悪くなっていると判断したとする。この場合、制御部１７は、例えば、１日あたり３回に設定していた所定の時間帯の回数を、１日あたり５回に増やすことができる。制御部１７は、増加した２回分の所定の時間帯を、使用履歴情報に基づいて決定する。制御部１７は、例えば、上記実施の形態において例として示した７時から９時の間、１１時から１３時の間及び１９時から２１時の間に加えて、９時から１１時の間及び１５時から１７時の間を、所定の時間帯として決定する。このように、所定の時間帯を増加させることにより、被検者について、より多くの生体情報を集めることができるため、より高い精度で被検者の状態を把握しうる。なお、場合によっては、所定の時間帯の回数は、減少するように決定されてもよい。
【００６５】
上記実施の形態では、測定装置１０は、圧力検出部１１を備えていると説明したが、必ずしも圧力検出部１１を備えていなくてもよい。測定装置１０は、測定する生体情報によっては、圧力検出部１１ではなく、例えば被検部位が接触部１６に接触しているか否かを判断可能な接触検出部等の、接触部１６における接触状態を検出する接触状態検出部を備えていればよい。
【００６６】
上記実施の形態では、測定装置１０は、生体情報として血流量を測定すると説明したが、測定装置１０が測定する生体情報は、他の任意の情報とすることができる。測定装置１０は、例えば、被検者の脈拍又はストレス状態等を測定できるが、これらの例に限られない。なお、ストレス状態は、交感神経の高揚度と相関関係があることが一般的に知られている。測定装置１０がストレス状態を測定する場合には、例えば、制御部１７が、生体センサにより取得した脈拍の間隔に基づいて、交感神経の高揚度を推定することにより測定を行う。
【００６７】
上記実施の形態では、制御部１７は、レーザ光の射出に関する情報として、レーザ光を射出していることを報知すると説明したが、レーザ光の射出に関する情報は、これに限られない。制御部１７は、レーザ光の射出に関する情報として、例えば、レーザ光を射出する前に、レーザ光を射出する旨を報知してもよい。
【００６８】
上記実施の形態においては、測定装置１０が携帯電話機として実現される場合について説明したが、測定装置１０の形態は携帯電話機に限られない。測定装置１０は、例えば、自動車のハンドルとして実現されてもよい。測定装置１０が自動車のハンドルとして実現される場合、接触部１６は、例えば、ハンドルの一部分において、被検者がハンドルを握ったときに、被検部位が自然に接触する位置に配置される。記憶部１４は、使用履歴情報として、例えば、自動車のエンジンがかかっている時間帯に関する情報を記憶する。制御部１７は、使用履歴情報に基づいて、例えば被検者が測定装置１０を搭載した自動車を使用している可能性が高い時間帯を所定の時間帯として決定する。例えば、自動車を使用する被検者が、自動車で通勤する場合、制御部１７は、使用履歴情報を参照して、出勤及び帰宅に相当する時間帯に、自動車を使用している可能性が高いと判断する。そして、制御部１７は、通勤時間に相当する７時から９時の間の２時間及び帰宅時間に相当する１９時から２１時の間の２時間を、所定の時間帯として決定する。制御部１７は、決定した所定の時間帯において、圧力検出部１１で検出される接触圧力が所定の圧力範囲内のときに、光源２１からレーザ光を射出することにより生体測定出力を取得し、生体情報を測定する。
【００６９】
他の例として、測定装置１０は、例えば、コンピュータ操作用マウス、ゲームのコントローラ、タブレット端末等、被検者が把持した状態を所定時間（少なくとも生体測定出力を取得する時間）維持する、任意の電子機器として実現できる。
【００７０】
なお、被検者が把持した状態を所定時間維持しない機器においても、例えば、レーザ光を照射して生体測定出力を取得する旨を、レーザ光の射出前に報知部１９から報知させるように構成することで、測定装置１０を実現できる。例えば、洗濯機の操作ボタンを測定装置１０として実現することができる。この場合、操作ボタンの表面に接触部１６が配置される。記憶部１４は、使用履歴情報として、例えば、操作ボタンが操作される時間帯に関する情報を記憶する。制御部１７は、使用履歴情報に基づいて、例えば被検者が操作ボタンを操作する可能性が高い時間帯を所定の時間帯として決定する。制御部１７は、決定した所定の時間帯において、洗濯機に対する所定の操作が行われた場合に、報知部１９から、レーザ光を照射して生体測定出力を取得する旨を報知する。報知を認識した被検者が接触部１６に指を接触させ、圧力検出部１１で検出される接触圧力が所定の圧力範囲内となると、制御部１７は、光源２１からレーザ光を射出することにより生体測定出力を取得し、生体情報を測定する。このようにして、被検者は、生体情報を測定するために特別な手間をかけることなく簡単に生体情報を測定できるため、利便性を向上可能である。他の例として、測定装置１０は、例えば、掃除機、炊飯器等、被検者が日常的に使用する機器の操作ボタンとして実現できる。
【００７１】
図３において説明した所定の圧力範囲は、被検者が測定装置１０を把持する強さに応じて、制御部１７が変化させてもよい。この場合、制御部１７は、例えば、予め被検者が測定装置１０を把持する強さを圧力検出部１１を使用して測定する。制御部１７は、圧力範囲の幅（すなわち、図３におけるＰ2とＰ1との間隔）を変化させることなく、所定の圧力範囲の上限値及び下限値を変化させてもよい。制御部１７は、生体測定出力の取得に影響しない限りにおいて、被検者が測定装置１０を把持する間の圧力の上下動が少ない範囲を、所定の圧力範囲として決定してもよい。
【００７２】
上記実施の形態では、測定装置１０が備える生体情報生成部１８が、受光部２２の出力に基づいて生体情報を生成すると説明したが、生体情報の生成は、測定装置１０が備える生体情報生成部１８が行う場合に限られない。例えば、測定装置１０と、有線若しくは無線又はこれらの組み合わせからなるネットワークで接続されたサーバ装置が、生体情報生成部１８に相当する機能部を備え、生体情報の生成は、この機能部を有するサーバ装置で行われてもよい。この場合、測定装置１０は、生体センサ１５により生体情報出力を取得して、取得した生体情報出力を、別途備える通信部からサーバ装置に送信する。そして、サーバ装置は、生体情報出力に基づいて生体情報を生成し、生成した生体情報を測定装置１０に送信する。被検者は、測定装置１０が受信した生体情報を、表示部１２に表示させることにより、閲覧することができる。このように、サーバ装置が生体情報を生成する場合、図１に示す全ての機能部を１つの測定装置１０上で実現する場合に比べて、測定装置１０の小型化等を実現することができる。
【符号の説明】
【００７３】
１０  測定装置
１１  圧力検出部（接触状態検出部）
１２  表示部
１３  入力部
１４  記憶部
１５  生体センサ
１６  接触部
１７  制御部
１８  生体情報生成部
１９  報知部
２１  光源
２２  受光部
【図１】
2016030094.tif 000003
【図２】
2016030094.tif 000004
【図３】
2016030094.tif 000005
【図４】
2016030094.tif 000006